【事件の表示】
　特願２００９−　３８８１２「画像処理装置および画像処理方法」拒絶査定不服審判事件〔平成２２年　９月　９日出願公開、特開２０１０−１９９６５０〕について、次のとおり審決する。
【結　論】
　本件審判の請求は、成り立たない。
【理　由】
第１　経緯
１　経緯
　本願は、平成２１年２月２３日の出願であって、平成２４年１１月９日付けで拒絶理由が通知され、これに対し、平成２５年１月８日付けで意見書が提出されると同時に手続補正がなされ、平成２５年３月２７日付け（発送日同年４月２日）で拒絶査定がなされたものである。
　本件は、本願についてなされた上記拒絶査定を不服として平成２５年６月２７日付けで請求された拒絶査定不服審判であって、同時に手続補正がなされたものである。
　　
２　査定の概要
　原査定の理由は、概略、次のとおりである。
　　
［査定の理由］
　請求項１、２、９、１０に係る発明は、下記の刊行物に記載された発明に基いて、当業者が容易に発明をすることができたものであるから、特許法第２９条第２項の規定により特許を受けることができない。
　　　　　　　　　　　　　　　記
　刊行物１：特開２０００−２９９８７４号公報
　刊行物２：特開２００２−１１２０４６号公報
　　
第２　補正却下の決定
　平成２５年６月２７日付けの手続補正について次のとおり決定する。
 　 
［補正却下の決定の結論］
　平成２５年６月２７日付けの手続補正を却下する。
　　
［理由］
１　補正の内容
　平成２４年６月２７日付けの手続補正（以下「本件補正」という。）は、特許請求の範囲についてする補正であり、請求項１及び請求項９における「第１線型関数を用いて色収差補正をする」、「第２線型関数を用いて色収差補正を行う」をそれぞれ、「第１線型関数を用いて倍率色収差の色収差補正を行う」、「第２線型関数を用いて倍率色収差の色収差補正を行う」にする補正である。
　　
２　補正の適合性 
（１）補正の目的 
　本件補正は、「第１線型関数を用いて色収差補正をする」、「第２線型関数を用いて色収差補正を行う」をそれぞれ、「第１線型関数を用いて倍率色収差の色収差補正を行う」、「第２線型関数を用いて倍率色収差の色収差補正を行う」にするものであり、特許請求の範囲の減縮を目的とするものと認められる。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正発明 
　補正後の請求項１に係る発明（以下「補正発明」という。）は、補正後の特許請求の範囲の請求項１に記載された以下のとおりのものである。
　　
「撮像光学系による光像を光電変換する撮像手段と、前記撮影光学系の色収差によるずれ量を線型関数に基づき算出し、該ずれ量に応じて撮像画像データに対する色収差補正を行う色収差補正手段と、を備えた画像処理装置であって、
　前記色収差補正手段は、前記撮像画像データの画像面のうち、該画像面内で前記撮像光学系の光軸に対応する位置である光学中心を含む第１領域における注目画素については、該光学中心からの距離をパラメータとする第１線型関数を用いて倍率色収差の色収差補正を行うとともに、該光学中心が含まれない、前記第１の領域とは異なる第２領域における注目画素については、該光学中心からの距離をパラメータとする、前記第１線型関数とは異なる第２線型関数を用いて倍率色収差の色収差補正を行うことを特徴とする画像処理装置。」
 　 
（４）刊行物の記載 
ア　刊行物１
（ア）刊行物１の記載
　原査定の拒絶の理由に引用された特開２０００−２９９８７４号公報（以下「刊行物１」という。）には、図面と共に次に掲げる事項が記載されている。
　　
「【０００１】
【発明の属する技術分野】本発明は信号処理装置及び方法並びに撮像装置及び方法に関し、例えばビデオカメラに適用して好適なものである。」
　　
「【０００３】
【発明が解決しようとする課題】ところで一般的にレンズには、色によって焦点位置が異なるいわゆる色収差が発生する。これは物体の屈折率が波長の関数として表され、屈折率が同じでも波長が異なる光が違った角度に屈折されることに起因するものである。
【０００４】そして従来のビデオカメラでは、レンズにこのような色収差があるために、図８に示すように、ＣＣＤの受光面１に結像される被写体２の光学像の赤色成分３R 、緑色成分３G 及び青色成分３B の大きさに違いが生じ、この結果被写体２が例えば白色である場合にエッジに緑色及び赤色の線が発生する問題があった。
【０００５】従ってビデオカメラにおいて、レンズの色収差を何らかの方法により補正することができれば、カラー映像の画質を向上させることができるものと考えられる。
【０００６】本発明は以上の点を考慮してなされたもので、カラー映像の画質を格段的に向上させ得る信号処理装置及び方法並びに撮像装置及び方法を提案しようとするものである。」
　　
「【００１１】
【発明の実施の形態】以下図面について、本発明の一実施の形態を詳述する。
【００１２】（１）原理
ビデオカメラでは、撮影により得られたカラー映像信号に基づくカラー映像の画面内に、図１のように画面中心からの距離をパラメータとする３次曲線で近似される大きさの色収差が発生する。なおこの図１では、緑色を基準とした赤色（Ｒ）及び青色（Ｂ）の収差量を表す。
【００１３】従ってビデオカメラにおいて、各画素について、図２のように画面中心Ｏからの距離Ｌに応じた緑色を基準とする赤色及び青色の収差量ＣＡR 、ＣＡB を図１の対応する特性曲線（以下、これらをそれぞれ色収差特性曲線と呼ぶ）ＫR 、ＫB からそれぞれ求め、得られた赤色及び青色の各収差量ＣＡR 、ＣＡB に応じて赤色及び青色について所定の補正処理を行うことによって、色収差による画質劣化を防止できるものと考えられる。
【００１４】しかしながらレンズの色収差特性は、同種でも個体毎に異なっており、また１つのレンズでもフォーカス位置毎に変化する。このため上述のような色収差特性曲線ＫR 、ＫB のデータを複数のビデオカメラで併用することができない。またこのような色収差特性曲線ＫR 、ＫB のデータを各ビデオカメラ毎に生成することは、非常に煩雑な作業となる。
【００１５】そこでビデオカメラにおいて、撮像により得られたカラー映像信号に基づいて上述の色収差特性曲線ＫR 、ＫB のデータを各フォーカス位置毎にそれぞれ生成し、当該生成した各フォーカス位置毎のデータに基づいて色収差に対する補正処理を行うようにすることができれば、ビデオカメラの製造者による色収差特性曲線ＫR 、ＫB のデータの生成作業を省略させながら、ユーザに対して高品質のカラー映像を提供し得るようにすることができるものと考えられる。
【００１６】この場合緑色を基準とする赤色及び青色の収差量ＣＡR 、ＣＡB をそれぞれ検出する方法としては、図３に示すように、画面内の有効なエッジのある一点の緑色成分を表す第１の画素ＰＣG と、これと対応する赤色成分又は青色成分をそれぞれ表す第２及び第３の画素ＰＣR 、ＰＣB との各距離ｌR 、ｌB をそれぞれ求め、これらをそれぞれ赤色及び青色の収差量ＣＡR 、ＣＡB とすれば良い。
【００１７】ところがこのような第１及び第２の画素ＰＣG 、ＰＣR 間、並びに第１及び第３の画素ＰＣG 、ＰＣB 間の距離ｌR 、ｌB を求めるに際し、その前にまず第１画素ＰＣG に対して第２及び第３の画素ＰＣR 、ＰＣB が対応することを所定の演算処理により確認する必要がある。そしてこのような演算処理は、ブロックマッチング法等により行うことができるものの、水平方向及び垂直方向のそれぞれについて演算を必要とするために莫大な演算量となる問題がある。
【００１８】そこで本発明においては、このような第１の画素ＰＣG と第２及び第３の画素ＰＣR 、ＰＣB との相関検出処理の煩雑化を回避すべく、図４において斜線で示すような画面中央の数走査ライン分のデータのみを利用して画面中心Ｏからの距離Ｌに応じた緑色を基準とする赤色及び青色の収差量ＣＡR 、ＣＡB を各フォーカス位置毎にそれぞれ検出するようにする。
【００１９】そしてこのように画面中央の数走査ライン分のデータのみを利用することで、画面中央の数走査ライン分では垂直方向の色収差を無視できることから、図５のように対応する第１及び第２の画素ＰＣG 、ＰＣR 並びに第１及び第３の画素ＰＣG 、ＰＣB を同じ走査ライン上で探し出せば良く、その分垂直方向の相関計算を省略させて演算量を格段的に低減させ得る利点がある。
【００２０】またこのように相関関係のある第１及び第２の画素ＰＣG 、ＰＣR 並びに第１及び第３の画素ＰＣG 、ＰＣB 画素を検出できれば、それらの間の距離ｌR 、ｌB が緑色を基準とする赤色及び青色の収差量ＣＡR 、ＣＡB であることから、画面中心Ｏからの距離Ｌが異なる複数の赤色及び青色の収差量ＣＡR 、ＣＡB のサンプルに基づいて図１に示す色収差特性曲線ＫR 、ＫB を算出でき、当該算出した色収差特性曲線ＫR 、ＫB のデータに基づいて色収差に対する補正処理を行うようにすることができる。」
　　
「【００２１】（２）本実施の形態によるビデオカメラの構成
ここで図６は、本実施の形態によるビデオカメラ１０を示し、被写体の光学像をレンズ１１を介してプリズム１２に取り込み、当該プリズム１２において被写体の光学像を赤色成分、緑色成分及び青色成分に分離した後、これらをそれぞれ第１〜第３のＣＣＤ１３Ｒ、１３Ｇ、１３Ｂの受光面に結像する。
【００２２】第１〜第３のＣＣＤ１３Ｒ、１３Ｇ、１３Ｂは、撮影モード時、それぞれ受光面に結像された被写体の光学像の赤色成分、緑色成分及び青色成分をそれぞれ光電変換し、得られた赤色映像信号Ｓ１Ｒ、緑色映像信号Ｓ１Ｇ又は青色映像信号Ｓ１Ｂをそれぞれ第１〜第３のアナログ／ディジタル変換回路１４Ｒ、１４Ｇ、１４Ｂに送出する。
【００２３】第１〜第３のアナログ／ディジタル変換回路１４Ｒ、１４Ｇ、１４Ｂは、それぞれ供給される赤色映像信号Ｓ１Ｒ、緑色映像信号Ｓ１Ｇ又は青色映像信号Ｓ１Ｂをディジタル変換し、得られた赤色映像データＤ１Ｒ、緑色映像データＤ１Ｇ又は青色映像データＤ１Ｂを画面中央抜取り部１５及び水平方向補正処理部１６に送出する。
【００２４】画面中央抜取り部１５は、供給される赤色映像データＤ１Ｒ、緑色映像データＤ１Ｇ及び青色映像データＤ１Ｂからそれぞれ画面中央の数走査ライン分のデータを抜き取り、これらをそれぞれ抜取り赤色映像データＤ２Ｒ、抜取り緑色映像データＤ２Ｇ及び抜取り青色映像データＤ２Ｂとして相関検出部１７に送出する。
【００２５】相関検出部１７は、供給される抜取り赤色映像データＤ２Ｒ、抜取り緑色映像データＤ２Ｇ及び抜取り青色映像データＤ２Ｂに基づいて、これら抜取り赤色映像データＤ２Ｒ、抜取り緑色映像データＤ２Ｇ及び抜取り青色映像データＤ２Ｂに基づく部分的なカラー映像内の有効なエッジを検出する。
【００２６】また相関検出部１７は、この検出結果に基づいて、走査ライン毎に有効なエッジ上の緑色成分を表す第１の画素ＰＣG （図５）と、この第１の画素ＰＣG に対応する当該エッジの赤色成分及び青色成分をそれぞれ表す第２及び第３の画素ＰＣR 、ＰＣB とをそれぞれ検出し、検出結果を抜取り赤色映像データＤ２Ｒ、抜取り緑色映像データＤ２Ｇ及び抜取り青色映像データＤ２Ｂと共に相関検出信号Ｓ２として収差量検出部１８に送出する。
【００２７】なお上述のようなエッジ検出は、抜取り赤色映像データＤ２Ｒ、抜取り緑色映像データＤ２Ｇ及び抜取り青色映像データＤ２Ｂに基づいて走査ライン毎に各画素の位置を変数ｘとするカラー映像の輝度信号ｆ（ｘ）を生成すると共に、これをｘについてラプラシアン演算（２階微分）処理を施すことにより行うことができる。
【００２８】また上述のような画素間の相関検出は、走査ライン毎にエッジ前後の数画素について、次式
【００２９】
【数１】
　　ＴGR＝（Ｇi−Ｒi）＋（Ｇi+1−Ｒi+1）＋・・・＋（Ｇi+n−Ｒi+n）　・・・（１）
【００３０】及び次式
【００３１】
【数２】
　　ＴGB＝（Ｇi−Ｂi）＋（Ｇi+1−Ｂi+1）＋・・・＋（Ｇi+n−Ｂi+n）　・・・（２）
【００３２】のように、抜取り緑色映像データＤ２Ｇと、抜取り赤色映像データＤ２Ｒ又は抜取り青色映像データＤ２Ｂとの差分を全て加算する演算処理を、抜取り緑色映像データＤ２Ｇに対する抜取り赤色映像データＤ２Ｒ又は抜取り青色映像データＤ２Ｂを１画素ずつ順次ずらしながら行い、加算値ＴGR、ＴGBが最も小さい場合に相関があると判断することにより行うことができる。なお（１）式及び（２）式においてＧi 、Ｒj 、Ｂj は抜取り緑色映像データＤ２Ｇ、抜取り赤色映像データＤ２Ｒ及び抜取り青色映像データＤ２Ｂにおけるｉ又はｊ番目の画素のデータ値を表わす。
【００３３】収差量検出部１８は、供給される相関検出信号Ｓ２に基づいて、相関関係のあるエッジの緑色成分を表す第１の画素ＰＣG （図５）と、それぞれエッジの赤色成分又は青色成分を表す第２及び第３の画素ＰＣR 、ＰＣB （図５）との距離ｌR 、ｌB （図５）を求めることにより、画面中心Ｏ（図５）からの距離Ｌに応じた緑色を基準とする赤色及び青色の収差量ＣＡR 、ＣＡB をそれぞれ検出し、検出結果を収差量検出信号Ｓ３として近似式生成部１９に送出する。
【００３４】近似式生成部１９は、供給される収差量検出信号Ｓ３に基づいて、赤色及び青色について、次式
【００３５】
【数３】
　　Ｙ＝ａ×Ｘ３＋ｂ×Ｘ＋ｃ　　　　　　・・・（３）
【００３６】のａ、ｂ、ｃの値を最小２乗法で求めることにより図１の色収差特性曲線ＫR 、ＫB の近似式をそれぞれ算出し、算出結果を近似式信号Ｓ４としてＣＰＵ（Central Processing Unit ）２０に送出する。なおこの（３）式においてＹは収差量ＣＡR 、ＣＡB を表し、Ｘは画面中心Ｏからの位置を表す。
【００３７】ＣＰＵ２０は、供給される近似式信号Ｓ４に基づき得られる緑色に対する赤色及び青色の色収差特性曲線ＫR 、ＫB の近似式のデータを、レンズ駆動部２１から与えられるフォーカス位置信号Ｓ５に基づき得られるこのときのレンズ１１のフォーカス位置と対応させてメモリ２２に格納する。
【００３８】またＣＰＵ２０は、この後撮影モード時には、レンズ駆動部２１から供給されるフォーカス位置信号Ｓ５に基づき得られるそのときのレンズ１１のフォーカス位置に応じた色収差特性曲線ＫR 、ＫB の近似式のデータをメモリ２２から読み出す。
【００３９】そしてＣＰＵ２０は、このデータに基づいて各画素毎に、図７に示すように、緑色に対する赤色及び青色の収差量ＣＡR 、ＣＡB を算出すると共に、当該収差量ＣＡR 、ＣＡB に基づいて赤色及び青色の水平方向の収差量ＣＡRH、ＣＡBHと、垂直方向の収差量ＣＡRV、ＣＡBVとをそれぞれ算出し、緑色に対する赤色及び青色の水平方向の収差量ＣＡRH、ＣＡBHを水平収差量信号Ｓ６Ｈとして水平方向補正処理部１６に送出すると共に、緑色に対する赤色及び青色の垂直方向の収差量ＣＡRV、ＣＡBVを垂直収差量信号Ｓ６Ｖとして垂直方向補正処理部２３に送出する。
【００４０】水平方向補正処理部１６は、供給される水平収差量信号Ｓ６Ｈに基づいて、第１〜第３のアナログ／ディジタル変換回路１４Ｒ、１４Ｇ、１４Ｂから与えられる赤色映像データＤ１Ｒ、緑色映像データＤ１Ｇ及び青色映像データＤ１Ｂのうちの赤色映像データＤ１Ｒ及び青色映像データＤ１Ｂについて、色収差に対する所定の補正処理を施す。
【００４１】実際上このような補正処理は、各画素毎に行われ、例えば緑色に対して赤色が画素間距離の１／３だけ左側にずれている（すなわち水平方向の赤色の収差量ＣＡRHがプラス方向に画素間距離の１／３の大きさである）場合には、対象画素の周囲の画素の赤色の画素データに基づいて当該対象画素から水平方向右側に画素間距離の１／３だけずれた位置における赤色の画素データ値を一般的な補間処理の手法を用いて算出し、当該算出結果を対象画素の赤色の画素データと置き換えることにより行うことができる。
【００４２】そして水平方向補間処理部１６は、このような補正処理により得られた赤色映像データＤ３Ｒ及び青色映像データＤ３Ｂと、補正処理が施されていない緑色映像データＤ１Ｇとをそれぞれ垂直方向補正処理部２３に送出する。
【００４３】また垂直方向補正処理部２３は、ＣＰＵ２０から供給される垂直収差量信号Ｓ６Ｖに基づいて、水平方向補正処理部１６から与えられる赤色映像データＤ３Ｒ、緑色映像データＤ１Ｇ及び青色映像データＤ３Ｂのうちの赤色映像データＤ３Ｒ及び青色映像データＤ３Ｂに対し、上述の水平方向の場合と同様にして色収差に対する補正処理を施す。
【００４４】そして垂直方向補正処理部２３は、このような補正処理により得られた赤色映像データＤ４Ｒ及び青色映像データＤ４Ｂと、補正処理が施されていない緑色映像データＤ１Ｇとをそれぞれ信号処理部２４に送出する。
【００４５】信号処理部２４は、供給される赤色映像データＤ４Ｒ、緑色映像データＤ１Ｇ及び青色映像データＤ４Ｂに対してホワイトバランス補正処理及びγ補正処理等の所定の信号処理を施し、得られた記録データＤ５を回転ドラム（図示せず）に搭載された第１及び第２の磁気ヘッド２５Ａ、２５Ｂに所定のタイミングで切り換えながら順次交互に送出する。
【００４６】この結果この記録データＤ５は、第１及び第２の磁気ヘッド２５Ａ、２５Ｂを介してビデオテープ２６に記録される。このようにしてこのビデオカメラ１０においては、撮影により得られた被写体の映像データを、色収差の補正処理を施してからビデオテープ２６に記録する。
【００４７】なおこの実施の形態の場合、垂直方向補正処理部２３から出力される赤色映像データＤ４Ｒ、緑色映像データＤ１Ｇ及び青色映像データＤ４Ｂは近似式生成部１９にも与えられる。
【００４８】このとき近似式生成部１９は、供給される赤色映像データＤ４Ｒ、緑色映像データＤ１Ｇ及び青色映像データＤ４Ｂに基づいて、被写体のエッジがある信号レベル以上あるか、赤色映像データＤ４Ｒに対する緑色映像データＤ１Ｇの比及び青色映像データＧ４Ｂに対する緑色映像データＤ１Ｇの比がある値以上あるか、Ｓ／Ｎ比がある値以上かなどを判断することにより水平方向補正処理部１６及び垂直方向補正処理部２３における色収差補正処理に対する評価を行う。
【００４９】そして近似式生成部１９は、評価として色収差補正処理が不十分であると判断した場合には、この後再び収差量検出部１８から与えられる収差量検出信号Ｓ３に基づいて、赤色及び青色について、（３）式のａ、ｂ、ｃの値を最小２乗法によって求めることにより図１の色収差特性曲線ＫR 、ＫB の近似式を再度算出し、算出結果を近似式信号Ｓ４としてＣＰＵ２０に送出する。
【００５０】またこのときＣＰＵ２０は、メモリ２２に格納された対応する色収差特性曲線ＫR 、ＫB の近似式のデータを、この近似式信号Ｓ４に基づき得られる赤色及び青色の各色収差特性曲線ＫR 、ＫB の近似式のデータに更新し、この後上述のような各画素の赤色及び青色についての水平方向及び垂直方向の収差量ＣＡRH、ＣＡRV、ＣＡBH、ＣＡBVの演算処理をこの更新したデータに基づいて行う。
【００５１】このようにしてこのビデオカメラ１０では、メモリ２２に格納された色収差特性曲線ＫR 、ＫB の近似式のデータを必要に応じて更新するようになされ、かくして常に高品位な映像をビデオテープ２６に記録することができるようになされている。」
　　
「【図１】
」
　　
「【図６】
」
　　
（イ）刊行物１に記載された発明
　刊行物１には、
「ビデオカメラでは、撮影により得られたカラー映像信号に基づくカラー映像の画面内に、・・・画面中心からの距離をパラメータとする３次曲線で近似される大きさの色収差が発生」（段落【００１２】）し、「従ってビデオカメラにおいて、各画素について、・・・画面中心Ｏからの距離Ｌに応じた緑色を基準とする赤色及び青色の収差量ＣＡR、ＣＡB を・・・特性曲線（以下、これらをそれぞれ色収差特性曲線と呼ぶ）ＫR、ＫBからそれぞれ求め、得られた赤色及び青色の各収差量ＣＡR、ＣＡBに応じて赤色及び青色について所定の補正処理を行うことによって、色収差による画質劣化を防止できる」（段落【００１３】）という原理が記載され、
ビデオカメラの構成として、
「被写体の光学像をレンズ１１を介してプリズム１２に取り込み、当該プリズム１２において被写体の光学像を赤色成分、緑色成分及び青色成分に分離した後、これらをそれぞれ第１〜第３のＣＣＤ１３Ｒ、１３Ｇ、１３Ｂの受光面に結像」（段落【００２１】）し、
「第１〜第３のＣＣＤ１３Ｒ、１３Ｇ、１３Ｂは、撮影モード時、それぞれ受光面に結像された被写体の光学像の赤色成分、緑色成分及び青色成分をそれぞれ光電変換し、得られた赤色映像信号Ｓ１Ｒ、緑色映像信号Ｓ１Ｇ又は青色映像信号Ｓ１Ｂをそれぞれ第１〜第３のアナログ／ディジタル変換回路１４Ｒ、１４Ｇ、１４Ｂに送出」（段落【００２２】）し、
「第１〜第３のアナログ／ディジタル変換回路１４Ｒ、１４Ｇ、１４Ｂは、それぞれ供給される赤色映像信号Ｓ１Ｒ、緑色映像信号Ｓ１Ｇ又は青色映像信号Ｓ１Ｂをディジタル変換し、得られた赤色映像データＤ１Ｒ、緑色映像データＤ１Ｇ又は青色映像データＤ１Ｂを画面中央抜取り部１５及び水平方向補正処理部１６に送出」（段落【００２３】）し、
「画面中央抜取り部１５は、供給される赤色映像データＤ１Ｒ、緑色映像データＤ１Ｇ及び青色映像データＤ１Ｂからそれぞれ画面中央の数走査ライン分のデータを抜き取り、これらをそれぞれ抜取り赤色映像データＤ２Ｒ、抜取り緑色映像データＤ２Ｇ及び抜取り青色映像データＤ２Ｂとして相関検出部１７に送出」（段落【００２４】）し、
「相関検出部１７は、供給される抜取り赤色映像データＤ２Ｒ、抜取り緑色映像データＤ２Ｇ及び抜取り青色映像データＤ２Ｂに基づいて、これら抜取り赤色映像データＤ２Ｒ、抜取り緑色映像データＤ２Ｇ及び抜取り青色映像データＤ２Ｂに基づく部分的なカラー映像内の有効なエッジを検出」（段落【００２５】）し、
「また相関検出部１７は、この検出結果に基づいて、走査ライン毎に有効なエッジ上の緑色成分を表す第１の画素ＰＣG・・・と、この第１の画素ＰＣGに対応する当該エッジの赤色成分及び青色成分をそれぞれ表す第２及び第３の画素ＰＣR、ＰＣBとをそれぞれ検出し、検出結果を抜取り赤色映像データＤ２Ｒ、抜取り緑色映像データＤ２Ｇ及び抜取り青色映像データＤ２Ｂと共に相関検出信号Ｓ２として収差量検出部１８に送出」（段落【００２６】）し、
「収差量検出部１８は、供給される相関検出信号Ｓ２に基づいて、相関関係のあるエッジの緑色成分を表す第１の画素ＰＣG・・・と、それぞれエッジの赤色成分又は青色成分を表す第２及び第３の画素ＰＣR、ＰＣB・・・との距離ｌR、ｌB・・・を求めることにより、画面中心Ｏ・・・からの距離Ｌに応じた緑色を基準とする赤色及び青色の収差量ＣＡR、ＣＡBをそれぞれ検出し、検出結果を収差量検出信号Ｓ３として近似式生成部１９に送出」（段落【００３３】）し、
「近似式生成部１９は、供給される収差量検出信号Ｓ３に基づいて、赤色及び青色について、次式
　　Ｙ＝ａ×Ｘ３＋ｂ×Ｘ＋ｃ　　　　　　・・・（３）
のａ、ｂ、ｃの値を最小２乗法で求めることにより・・・色収差特性曲線ＫR、ＫBの近似式をそれぞれ算出し、算出結果を近似式信号Ｓ４としてＣＰＵ・・・２０に送出」し、「この（３）式においてＹは収差量ＣＡR 、ＣＡB を表し、Ｘは画面中心Ｏからの位置を表」（段落【００３４】〜【００３６】）し、
「ＣＰＵ２０は、供給される近似式信号Ｓ４に基づき得られる緑色に対する赤色及び青色の色収差特性曲線ＫR、ＫBの近似式のデータを、・・・メモリ２２に格納」（段落【００３７】）し、
「またＣＰＵ２０は、この後撮影モード時には、・・・色収差特性曲線ＫR、ＫBの近似式のデータをメモリ２２から読み出」（段落【００３８】）し、
「そしてＣＰＵ２０は、このデータに基づいて各画素毎に、・・・緑色に対する赤色及び青色の収差量ＣＡR、ＣＡBを算出すると共に、当該収差量ＣＡR、ＣＡBに基づいて赤色及び青色の水平方向の収差量ＣＡRH、ＣＡBHと、垂直方向の収差量ＣＡRV、ＣＡBVとをそれぞれ算出し、緑色に対する赤色及び青色の水平方向の収差量ＣＡRH、ＣＡBHを水平収差量信号Ｓ６Ｈとして水平方向補正処理部１６に送出すると共に、緑色に対する赤色及び青色の垂直方向の収差量ＣＡRV、ＣＡBVを垂直収差量信号Ｓ６Ｖとして垂直方向補正処理部２３に送出」（段落【００３９】）し、
「水平方向補正処理部１６は、供給される水平収差量信号Ｓ６Ｈに基づいて、第１〜第３のアナログ／ディジタル変換回路１４Ｒ、１４Ｇ、１４Ｂから与えられる赤色映像データＤ１Ｒ、緑色映像データＤ１Ｇ及び青色映像データＤ１Ｂのうちの赤色映像データＤ１Ｒ及び青色映像データＤ１Ｂについて、色収差に対する所定の補正処理を施」（段落【００４０】）し、
「そして水平方向補間処理部１６は、このような補正処理により得られた赤色映像データＤ３Ｒ及び青色映像データＤ３Ｂと、補正処理が施されていない緑色映像データＤ１Ｇとをそれぞれ垂直方向補正処理部２３に送出」（段落【００４２】）し、
「また垂直方向補正処理部２３は、ＣＰＵ２０から供給される垂直収差量信号Ｓ６Ｖに基づいて、水平方向補正処理部１６から与えられる赤色映像データＤ３Ｒ、緑色映像データＤ１Ｇ及び青色映像データＤ３Ｂのうちの赤色映像データＤ３Ｒ及び青色映像データＤ３Ｂに対し、上述の水平方向の場合と同様にして色収差に対する補正処理を施」（段落【００４３】）し、
「そして垂直方向補正処理部２３は、このような補正処理により得られた赤色映像データＤ４Ｒ及び青色映像データＤ４Ｂと、補正処理が施されていない緑色映像データＤ１Ｇとをそれぞれ信号処理部２４に送出」（段落【００４４】）することが記載されている。
　　
　以上のとおり、刊行物１には、次の発明（以下「刊行物１発明」という。）が記載されていると認められる。
　　
「ビデオカメラでは、撮影により得られたカラー映像信号に基づくカラー映像の画面内に、画面中心からの距離をパラメータとする３次曲線で近似される大きさの色収差が発生し、従ってビデオカメラにおいて、各画素について、画面中心Ｏからの距離Ｌに応じた緑色を基準とする赤色及び青色の収差量ＣＡR、ＣＡB を特性曲線（以下、これらをそれぞれ色収差特性曲線と呼ぶ）ＫR、ＫBからそれぞれ求め、得られた赤色及び青色の各収差量ＣＡR、ＣＡBに応じて赤色及び青色について所定の補正処理を行うことによって、色収差による画質劣化を防止できるという原理のもと、
　被写体の光学像をレンズ１１を介してプリズム１２に取り込み、当該プリズム１２において被写体の光学像を赤色成分、緑色成分及び青色成分に分離した後、これらをそれぞれ第１〜第３のＣＣＤ１３Ｒ、１３Ｇ、１３Ｂの受光面に結像し、
　第１〜第３のＣＣＤ１３Ｒ、１３Ｇ、１３Ｂは、撮影モード時、それぞれ受光面に結像された被写体の光学像の赤色成分、緑色成分及び青色成分をそれぞれ光電変換し、得られた赤色映像信号Ｓ１Ｒ、緑色映像信号Ｓ１Ｇ又は青色映像信号Ｓ１Ｂをそれぞれ第１〜第３のアナログ／ディジタル変換回路１４Ｒ、１４Ｇ、１４Ｂに送出し、
　第１〜第３のアナログ／ディジタル変換回路１４Ｒ、１４Ｇ、１４Ｂは、それぞれ供給される赤色映像信号Ｓ１Ｒ、緑色映像信号Ｓ１Ｇ又は青色映像信号Ｓ１Ｂをディジタル変換し、得られた赤色映像データＤ１Ｒ、緑色映像データＤ１Ｇ又は青色映像データＤ１Ｂを画面中央抜取り部１５及び水平方向補正処理部１６に送出し、
　画面中央抜取り部１５は、供給される赤色映像データＤ１Ｒ、緑色映像データＤ１Ｇ及び青色映像データＤ１Ｂからそれぞれ画面中央の数走査ライン分のデータを抜き取り、これらをそれぞれ抜取り赤色映像データＤ２Ｒ、抜取り緑色映像データＤ２Ｇ及び抜取り青色映像データＤ２Ｂとして相関検出部１７に送出し、
　相関検出部１７は、供給される抜取り赤色映像データＤ２Ｒ、抜取り緑色映像データＤ２Ｇ及び抜取り青色映像データＤ２Ｂに基づいて、これら抜取り赤色映像データＤ２Ｒ、抜取り緑色映像データＤ２Ｇ及び抜取り青色映像データＤ２Ｂに基づく部分的なカラー映像内の有効なエッジを検出し、
　また相関検出部１７は、この検出結果に基づいて、走査ライン毎に有効なエッジ上の緑色成分を表す第１の画素ＰＣGと、この第１の画素ＰＣGに対応する当該エッジの赤色成分及び青色成分をそれぞれ表す第２及び第３の画素ＰＣR、ＰＣBとをそれぞれ検出し、検出結果を抜取り赤色映像データＤ２Ｒ、抜取り緑色映像データＤ２Ｇ及び抜取り青色映像データＤ２Ｂと共に相関検出信号Ｓ２として収差量検出部１８に送出し、
　収差量検出部１８は、供給される相関検出信号Ｓ２に基づいて、相関関係のあるエッジの緑色成分を表す第１の画素ＰＣGと、それぞれエッジの赤色成分又は青色成分を表す第２及び第３の画素ＰＣR、ＰＣBとの距離ｌR、ｌBを求めることにより、画面中心Ｏからの距離Ｌに応じた緑色を基準とする赤色及び青色の収差量ＣＡR、ＣＡBをそれぞれ検出し、検出結果を収差量検出信号Ｓ３として近似式生成部１９に送出し、
　近似式生成部１９は、供給される収差量検出信号Ｓ３に基づいて、赤色及び青色について、次式
　　Ｙ＝ａ×Ｘ３＋ｂ×Ｘ＋ｃ　　　　　　・・・（３）
のａ、ｂ、ｃの値を最小２乗法で求めることにより色収差特性曲線ＫR、ＫBの近似式をそれぞれ算出し、算出結果を近似式信号Ｓ４としてＣＰＵ２０に送出し、
　この（３）式においてＹは収差量ＣＡR、ＣＡBを表し、Ｘは画面中心Ｏからの位置を表し、
　ＣＰＵ２０は、供給される近似式信号Ｓ４に基づき得られる緑色に対する赤色及び青色の色収差特性曲線ＫR、ＫBの近似式のデータを、メモリ２２に格納し、
　またＣＰＵ２０は、この後撮影モード時には、色収差特性曲線ＫR、ＫBの近似式のデータをメモリ２２から読み出し、
　そしてＣＰＵ２０は、このデータに基づいて各画素毎に、緑色に対する赤色及び青色の収差量ＣＡR、ＣＡBを算出すると共に、当該収差量ＣＡR、ＣＡBに基づいて赤色及び青色の水平方向の収差量ＣＡRH、ＣＡBHと、垂直方向の収差量ＣＡRV、ＣＡBVとをそれぞれ算出し、緑色に対する赤色及び青色の水平方向の収差量ＣＡRH、ＣＡBHを水平収差量信号Ｓ６Ｈとして水平方向補正処理部１６に送出すると共に、緑色に対する赤色及び青色の垂直方向の収差量ＣＡRV、ＣＡBVを垂直収差量信号Ｓ６Ｖとして垂直方向補正処理部２３に送出し、
　水平方向補正処理部１６は、供給される水平収差量信号Ｓ６Ｈに基づいて、第１〜第３のアナログ／ディジタル変換回路１４Ｒ、１４Ｇ、１４Ｂから与えられる赤色映像データＤ１Ｒ、緑色映像データＤ１Ｇ及び青色映像データＤ１Ｂのうちの赤色映像データＤ１Ｒ及び青色映像データＤ１Ｂについて、色収差に対する所定の補正処理を施し、
　そして水平方向補間処理部１６は、このような補正処理により得られた赤色映像データＤ３Ｒ及び青色映像データＤ３Ｂと、補正処理が施されていない緑色映像データＤ１Ｇとをそれぞれ垂直方向補正処理部２３に送出し、
　また垂直方向補正処理部２３は、ＣＰＵ２０から供給される垂直収差量信号Ｓ６Ｖに基づいて、水平方向補正処理部１６から与えられる赤色映像データＤ３Ｒ、緑色映像データＤ１Ｇ及び青色映像データＤ３Ｂのうちの赤色映像データＤ３Ｒ及び青色映像データＤ３Ｂに対し、上述の水平方向の場合と同様にして色収差に対する補正処理を施し、
　そして垂直方向補正処理部２３は、このような補正処理により得られた赤色映像データＤ４Ｒ及び青色映像データＤ４Ｂと、補正処理が施されていない緑色映像データＤ１Ｇとをそれぞれ信号処理部２４に送出する
　ビデオカメラ。」
　　
イ　刊行物２
（ア）刊行物２の記載
　原査定の拒絶の理由に引用された特開２００２−１１２０４６号公報（以下「刊行物２」という。）には、図面と共に次に掲げる事項が記載されている。
　　
「【０００１】
【発明の属する技術分野】この発明は、例えば対象物の画像情報に対応する画像データを得る画像読取装置およびその画像読取装置により読み取られた画像情報に対応する画像を形成可能な画像形成装置に関する。」
　　
「【０００７】
【発明が解決しようとする課題】ところで、今日、原稿の画像情報をフルカラーで読み取るために、カラーＣＣＤセンサを用いたカラー画像読取装置が実用化されている。
【０００８】しかしながら、カラーＣＣＤセンサとして３ラインＣＣＤセンサを用いる場合、縮小レンズにより、Ｒ（赤）、Ｇ（緑）およびＢ（青）の３つのラインセンサに投影される原稿の画像情報は、縮小レンズの光軸上に位置されるラインセンサと縮小レンズの光軸と直交する面内で縮小レンズの光軸に対して所定の距離に位置される２つのラインセンサとに照射されることになる。
【０００９】このため、３ラインＣＣＤセンサに投影される原稿の画像を光電変換すると、縮小レンズの倍率色収差（横色収差）により、色成分毎に異なる大きさ（幅）が与えられることになる。これにより、出力される画像信号には、色ずれが含まれることになる。横色収差に伴う色ずれの程度は、縮小レンズを最適に設計することで緩和されるが、レンズ性能の限界点やコストの上昇から、色ずれを完全に除去することはできない。また、画像形成装置の解像力が向上しているため、僅かな横色収差が残った場合にも、画像の色ずれは、顕著になる。」
　　
「【００３３】３ラインＣＣＤセンサ１７は、加法混色に従って、原稿Ｏの画像を、Ｒ（赤）、Ｇ（緑）およびＢ（青）の３つの色成分画像に分解するための、３本のラインセンサ１７ａ、１７ｂおよび１７ｃが互いに平行に配列されている受光面を有し、中央に位置するラインセンサ１７ｂが縮小レンズ１６の光軸と交わるように、固定されている。従って、３本のラインセンサ１７ａ（Ｒ）、１７ｂ（Ｇ）および１７ｃ（Ｂ）のそれぞれにおいて、同一時刻に読み取られる原稿Ｏの読み取り位置は、各ラインセンサが配置される間隔毎に異なる。なお、ＣＣＤセンサ１７におけるＲラインセンサ１７ａとＧラインセンサ１７ｂとの間の間隔（中心間距離）およびＧラインセンサ１７ｂとＢラインセンサ１７ｃとの間の間隔（中心間距離）は、それぞれ例えば６４μｍに設定される。従って、Ｒラインセンサ１７ａとＢラインセンサ１７ｃとの間の間隔（中心間距離）は、１２８μｍである。また、それぞれのラインセンサ１７ａ（Ｒ）、１７ｂ（Ｇ）および１７ｃ（Ｂ）は、原色系フィルタである赤色（Ｒ）フィルタ、緑色（Ｇ）フィルタおよび青色（Ｂ）フィルタが設けられているもので、それぞれ、Ｒ、ＧおよびＢの色成分毎の画像信号を出力する。」
　　
「【００３４】図４は、図２および図３に示した３ラインＣＣＤセンサから出力された得られた画像信号を処理して、図１に示した画像形成装置における画像形成のための出力画像信号を生成する画像処理回路の一例を説明する概略ブロック図である。
【００３５】３ラインＣＣＤセンサ１７のＲ用ラインセンサ１７ａ、Ｇ用ラインセンサ１７ｂおよびＢ用ラインセンサ１７ｃのそれぞれから出力された画像信号（ラインセンサの出力）は、それぞれ、画像信号処理部５０の増幅器５１ａ、５１ｂおよび５１ｃに入力され、スキャナＣＰＵ５７の制御により、所定のレベルまで増幅される。
【００３６】個々の増幅器５１ａ、５１ｂおよび５１ｃで増幅された各ラインセンサ１７ａ、１７ｂおよび１７ｃからの出力は、（スキャナＣＰＵ５７の制御により、それぞれに）対応するＡ／Ｄ変換器５２ａ、５２ｂおよび５２ｃによりデジタル信号に変換され、（スキャナＣＰＵ５７の制御により、それぞれに）対応するシェーディング補正回路５３ａ、５３ｂおよび５３ｃに入力されて、予め白色基準板１９からの反射光に基づいて設定されたスレショルドレベルに従って、白レベルと黒レベルの基準値が補正されて、次段の副走査位置補正回路５４に、入力される。
【００３７】副走査位置補正回路５４に入力された画像信号は、スキャナＣＰＵ５７の制御により、各ラインセンサ１７ａ、１７ｂおよび１７ｃにより読み込んだ際の副走査方向の（同一時刻の）原稿の読み取り位置のずれが補正されて、次段の倍率色収差補正回路５５に出力される。
【００３８】倍率色収差補正回路５５に入力された画像信号は、スキャナＣＰＵ５７の制御により、ＣＣＤセンサ１７の各ラインセンサ（１７ａ、１７ｂおよび１７ｃ）の配列と縮小レンズ１６により、色成分に応じて与えられる倍率色収差（横色収差）の影響が補正され、次段の画像処理回路５６に入力される。詳細には、倍率色収差補正回路５５は、センサ１７ａ（Ｒ画像信号）、センサ１７ｂ（Ｇ画像信号）およびセンサ１７ｃ（Ｂ画像信号）のそれぞれに、所定の遅延を与える遅延メモリ５５−１、ラインＣＣＤセンサ１７において中央に位置されているセンサ１７ｂ（Ｇ）の出力を基準にセンサ１７ａとセンサ１７ｃとから出力されて前に増幅されている画像信号（複）に所定の補正を与える倍率色収差補正部５５−２および補正データメモリ（ＲＯＭ）５５−３を含み、以下に説明する補正係数パラメータ発生ユニット１３１により、調整作業者からの入力に基づいて任意に変更可能で、調整エンジニアの操作により設定される補正係数パラーメタを受け取って、例えばＧ画像信号に対するＲ画像信号とＢ画像信号の位置ずれを補正して、画像処理回路５６に出力する。」
　　
「【００５７】ところで、（１）式および（２）式から容易に理解されるが、各ラインセンサから出力された画像信号の位置ずれを高い精度で補正するためには、隣接画素間の重みづけが必要であり、従って、最少の１画素のサイズより小さな位置ずれ量を測定しなければならない。また、横色収差は、像高（主走査位置）によっても変化するため、位置ずれ量を測定する際には、主走査方向の全域についても、測定する必要がある。例えば図９に示すような、一般的なカラー画像読取装置での主走査方向の横色収差に起因するＲ、ＧおよびＢ間の最大読み取り位置ずれ量は、横軸が主走査方向の位置（単位は画素数／１０）を表し、縦軸がＲ、ＧおよびＢ間の読み取り位置の最大ずれ量（単位は画素数）を表すとき、主走査方向の全域に関して、概ね０．３５画素に相当する大きなうねりを含み、主走査方向の個々の位置において、０．１画素程度の幅を含むことが認められる。」
　　
「【００６６】ところで、主走査方向に対する位置ずれ量の分布は、同じ設計基準で作られた画像読取装置相互では、類似した形状を示すので、関数で近似することができる。この場合、任意の位置における位置ずれ量を、実測データから得られる近似式により求めることができるので、近似式を表す数個のパラメータのみを格納するだけでよく、全画素における位置ずれ量を全て格納しておく必要が無くなり、位置ずれ量を記憶するための格納メモリの容量を大幅に削減できる。
【００６７】例えば、図９に示すようなパターンの位置ずれ量の分布を有する画像読取装置においては、図１３（ａ）に示すような１次式、図１３（ｂ）に示すような３次式、または図１３（ｃ）に示すような３つの直線等のいずれかの形式で近似することができる。
【００６８】例えば、図１３（ａ）に示す１次式を用いるならば、各画素位置ｉにおけるＧ信号から見たＲ信号およびＢ信号の位置ずれ量（ＤＲおよびＤＢ）を、
ＤＲ＝ＫＲ×ｉ＋ＬＲ、
ＤＢ＝ＫＢ×ｉ＋ＬＢ
で表すことができるので、僅か４個のパラメータ（ＫＲ、ＬＲ、ＫＢおよびＬＢ）だけを格納できるメモリを用意すればよい。また、位置ずれ量の分布形状が既に確認できているならば、全ての画素位置に関して位置ずれ量を求める必要はなく、特徴的な位置（極大値、極小値、両端および中央またはそれぞれの近傍等）のみでデータを取得すればよい。
【００６９】なお、上述したようにさまざまな画素位置での位置ずれ量を求めることおよび求められた位置ずれ量を用いて１画素の満たない画素間の位置ずれ量を補間することは、図４を用いて前に説明した補正係数パラメータ発生ユニット１３１から倍率色収差補正回路５５に供給される補正係数パラメータを用いて達成される。補正係数パラメータ発生ユニット１３１は、図４に示した通り、ラインメモリ１３３にストアされた３ラインＣＣＤセンサ１７の各センサ１７ａ、１７ｂおよび１７ｃからの出力信号に、ＧＵＩ１３７からの入力に応じてデータ処理部１３５で所定の処理（演算）を施して補正係数パラメータを発生し、倍率色収差補正回路５５の補正データメモリ５５−３に供給する。倍率色収差補正部５５−２は、補正データメモリ５５−３に入力された補正係数パラメータを用い、遅延メモリ５５−１により少なくともＲ画像信号とＢ画像信号に所定の遅延が与えられた結果を、位置ずれがなくなるように補正する。」
　　
「【０１１４】
【発明の効果】以上説明したように、この発明のカラー画像読取装置は、位置ずれ量の分布を一次式で近似し、一次式を表すパラメータのみをメモリに格納し、そのパラメータを利用して、主走査方向の全画素位置における色ずれを補正できる。なお、一次式の代わりに、多項式で近似し、多項式を表すパラメータのみをメモリに格納し、そのパラメータを利用して、主走査方向の全画素位置における色ずれを補正することもできる。このとき、位置ずれ量の分布を複数の区間に分けて、それぞれの区間で分布を一次式で近似し、それぞれの直線を表すパラメータのみをメモリに格納し、そのパラメータを利用して、主走査方向の全画素位置における色ずれを補正してもよい。」
　　
「【図９】
」
　　
「【図１３】
」
　　
（イ）刊行物２に記載された発明
　刊行物２は、縮小レンズの光軸上に位置される３ラインＣＣＤラインセンサを用いた画像読み取り装置が記載され（段落【０００７】【０００８】、【００３８】）、主走査方向の横色収差（倍率色収差）に起因する位置ずれ量を補正することが記載されている（段落【００５７】）。位置ずれ量は、図９のようになり（段落【００５７】）、関数で近似することができ（段落【００６６】）、図１３（ａ）に示すような１次式、図１３（ｂ）に示すような３次式、または図１３（ｃ）に示すような３つの直線等のいずれかの形式で近似することができる（段落【００６７】）ことが記載されている。 また、位置ずれ量の分布を複数の区間に分けて、それぞれの区間で分布を一次式で近似し、それぞれの直線を表すパラメータのみをメモリに格納し、そのパラメータを利用して、主走査方向の全画素位置における色ずれを補正してもよい（段落【０１１４】）ことが記載されている。
　また、段落【００５７】には、「横色収差は、像高（主走査位置）によっても変化するため、位置ずれ量を測定する際には、主走査方向の全域についても、測定する必要がある。例えば図９に示すような、一般的なカラー画像読取装置での主走査方向の横色収差に起因するＲ、ＧおよびＢ間の最大読み取り位置ずれ量は、横軸が主走査方向の位置（単位は画素数／１０）を表し、縦軸がＲ、ＧおよびＢ間の読み取り位置の最大ずれ量（単位は画素数）を表すとき、主走査方向の全域に関して、概ね０．３５画素に相当する大きなうねりを含み、主走査方向の個々の位置において、０．１画素程度の幅を含むことが認められる。」と記載されており、図９は、主走査方向の全域についてのものと認められ、縮小レンズの光軸の中心は、横軸の真ん中にあると考えることが自然である。
　以上より、刊行物２には、横色収差（倍率色収差）に起因する位置ずれ量を１次式、３次式または、位置ずれ量の分布を複数の区間に分けて、それぞれの区間の分布を一次式で近似する発明（以下「刊行物２発明」という。）が記載されている。
　　
（５）対比
ア　補正発明と刊行物１発明との対比
　補正発明と刊行物１発明とを対比する。
　　
（ア）「撮像光学系による光像を光電変換する撮像手段と、前記撮影光学系の色収差によるずれ量を線型関数に基づき算出し、該ずれ量に応じて撮像画像データに対する色収差補正を行う色収差補正手段と、を備えた画像処理装置」
　　
ａ　撮像手段
　刊行物１発明は、
「被写体の光学像をレンズ１１を介してプリズム１２に取り込み、当該プリズム１２において被写体の光学像を赤色成分、緑色成分及び青色成分に分離した後、これらをそれぞれ第１〜第３のＣＣＤ１３Ｒ、１３Ｇ、１３Ｂの受光面に結像し、
　第１〜第３のＣＣＤ１３Ｒ、１３Ｇ、１３Ｂは、撮影モード時、それぞれ受光面に結像された被写体の光学像の赤色成分、緑色成分及び青色成分をそれぞれ光電変換し、得られた赤色映像信号Ｓ１Ｒ、緑色映像信号Ｓ１Ｇ又は青色映像信号Ｓ１Ｂをそれぞれ第１〜第３のアナログ／ディジタル変換回路１４Ｒ、１４Ｇ、１４Ｂに送出し、
　第１〜第３のアナログ／ディジタル変換回路１４Ｒ、１４Ｇ、１４Ｂは、それぞれ供給される赤色映像信号Ｓ１Ｒ、緑色映像信号Ｓ１Ｇ又は青色映像信号Ｓ１Ｂをディジタル変換し、得られた赤色映像データＤ１Ｒ、緑色映像データＤ１Ｇ又は青色映像データＤ１Ｂを画面中央抜取り部１５及び水平方向補正処理部１６に送出」するものであり、「撮像光学系による光像を光電変換する撮像手段」を備えているといえる。
　　
ｂ　色収差補正手段
　刊行物１発明は、
「画面中央抜取り部１５は、供給される赤色映像データＤ１Ｒ、緑色映像データＤ１Ｇ及び青色映像データＤ１Ｂからそれぞれ画面中央の数走査ライン分のデータを抜き取り、これらをそれぞれ抜取り赤色映像データＤ２Ｒ、抜取り緑色映像データＤ２Ｇ及び抜取り青色映像データＤ２Ｂとして相関検出部１７に送出し、
　相関検出部１７は、供給される抜取り赤色映像データＤ２Ｒ、抜取り緑色映像データＤ２Ｇ及び抜取り青色映像データＤ２Ｂに基づいて、これら抜取り赤色映像データＤ２Ｒ、抜取り緑色映像データＤ２Ｇ及び抜取り青色映像データＤ２Ｂに基づく部分的なカラー映像内の有効なエッジを検出し、
　また相関検出部１７は、この検出結果に基づいて、走査ライン毎に有効なエッジ上の緑色成分を表す第１の画素ＰＣGと、この第１の画素ＰＣGに対応する当該エッジの赤色成分及び青色成分をそれぞれ表す第２及び第３の画素ＰＣR、ＰＣBとをそれぞれ検出し、検出結果を抜取り赤色映像データＤ２Ｒ、抜取り緑色映像データＤ２Ｇ及び抜取り青色映像データＤ２Ｂと共に相関検出信号Ｓ２として収差量検出部１８に送出し、
　収差量検出部１８は、供給される相関検出信号Ｓ２に基づいて、相関関係のあるエッジの緑色成分を表す第１の画素ＰＣGと、それぞれエッジの赤色成分又は青色成分を表す第２及び第３の画素ＰＣR、ＰＣBとの距離ｌR、ｌBを求めることにより、画面中心Ｏ・・・からの距離Ｌに応じた緑色を基準とする赤色及び青色の収差量ＣＡR、ＣＡBをそれぞれ検出し、検出結果を収差量検出信号Ｓ３として近似式生成部１９に送出し、
　近似式生成部１９は、供給される収差量検出信号Ｓ３に基づいて、赤色及び青色について、次式
　　Ｙ＝ａ×Ｘ３＋ｂ×Ｘ＋ｃ　　　　　　・・・（３）
のａ、ｂ、ｃの値を最小２乗法で求めることにより色収差特性曲線ＫR、ＫBの近似式をそれぞれ算出し、算出結果を近似式信号Ｓ４としてＣＰＵ２０に送出し、
　この（３）式においてＹは収差量ＣＡR、ＣＡBを表し、Ｘは画面中心Ｏからの位置を表し、
　ＣＰＵ２０は、供給される近似式信号Ｓ４に基づき得られる緑色に対する赤色及び青色の色収差特性曲線ＫR、ＫBの近似式のデータを、メモリ２２に格納し、
　またＣＰＵ２０は、この後撮影モード時には、色収差特性曲線ＫR、ＫBの近似式のデータをメモリ２２から読み出し、
　そしてＣＰＵ２０は、このデータに基づいて各画素毎に、緑色に対する赤色及び青色の収差量ＣＡR、ＣＡBを算出すると共に、当該収差量ＣＡR、ＣＡBに基づいて赤色及び青色の水平方向の収差量ＣＡRH、ＣＡBHと、垂直方向の収差量ＣＡRV、ＣＡBVとをそれぞれ算出し、緑色に対する赤色及び青色の水平方向の収差量ＣＡRH、ＣＡBHを水平収差量信号Ｓ６Ｈとして水平方向補正処理部１６に送出すると共に、緑色に対する赤色及び青色の垂直方向の収差量ＣＡRV、ＣＡBVを垂直収差量信号Ｓ６Ｖとして垂直方向補正処理部２３に送出し、
　水平方向補正処理部１６は、供給される水平収差量信号Ｓ６Ｈに基づいて、第１〜第３のアナログ／ディジタル変換回路１４Ｒ、１４Ｇ、１４Ｂから与えられる赤色映像データＤ１Ｒ、緑色映像データＤ１Ｇ及び青色映像データＤ１Ｂのうちの赤色映像データＤ１Ｒ及び青色映像データＤ１Ｂについて、色収差に対する所定の補正処理を施し、
　そして水平方向補間処理部１６は、このような補正処理により得られた赤色映像データＤ３Ｒ及び青色映像データＤ３Ｂと、補正処理が施されていない緑色映像データＤ１Ｇとをそれぞれ垂直方向補正処理部２３に送出し、
　また垂直方向補正処理部２３は、ＣＰＵ２０から供給される垂直収差量信号Ｓ６Ｖに基づいて、水平方向補正処理部１６から与えられる赤色映像データＤ３Ｒ、緑色映像データＤ１Ｇ及び青色映像データＤ３Ｂのうちの赤色映像データＤ３Ｒ及び青色映像データＤ３Ｂに対し、上述の水平方向の場合と同様にして色収差に対する補正処理を施し、
　そして垂直方向補正処理部２３は、このような補正処理により得られた赤色映像データＤ４Ｒ及び青色映像データＤ４Ｂと、補正処理が施されていない緑色映像データＤ１Ｇとをそれぞれ信号処理部２４に送出する」
ものであり、色収差を補正するものであって、色収差補正手段を備えているものといえる。
　刊行物１発明は、近似式として３次関数である式（３）を用いており、関数に基づいて撮影光学系の色収差によるずれ量を算出して、ずれ量に応じて撮像画像データに対する色収差補正を行っているといえる。
　したがって、刊行物１発明は、「前記撮影光学系の色収差によるずれ量を関数に基づき算出し、該ずれ量に応じて撮像画像データに対する色収差補正を行う色収差補正手段」を備えているといえる。
　しかしながら、刊行物１発明は、３次関数に基づいてずれ量を算出しており、線型関数に基づいているとはいえないから、補正発明と相違する。
　　
ｃ　画像処理装置
　上記ｂのとおり、刊行物１発明は、色収差補正手段を有しており、画像を処理しているといえるから、「画像処理装置」といえる。
　　
ｄ　まとめ
　以上のとおり、刊行物１発明は、
「撮像光学系による光像を光電変換する撮像手段と、前記撮影光学系の色収差によるずれ量を関数に基づき算出し、該ずれ量に応じて撮像画像データに対する色収差補正を行う色収差補正手段と、を備えた画像処理装置」
といえる。
　しかしながら、「色収差補正手段」における「前記撮影光学系の色収差によるずれ量を関数に基づき算出」する「関数」が補正発明においては、「線型」関数であるのに対し、引用発明１においては「３次」関数である点で相違する。
　　
（イ）「前記色収差補正手段は、前記撮像画像データの画像面のうち、該画像面内で前記撮像光学系の光軸に対応する位置である光学中心を含む第１領域における注目画素については、該光学中心からの距離をパラメータとする第１線型関数を用いて倍率色収差の色収差補正を行うとともに、該光学中心が含まれない、前記第１の領域とは異なる第２領域における注目画素については、該光学中心からの距離をパラメータとする、前記第１線型関数とは異なる第２線型関数を用いて倍率色収差の色収差補正を行うことを特徴とする画像処理装置」
　　
　上記（ア）ｂのとおり、色収差補正手段は、「前記撮影光学系の色収差によるずれ量を関数に基づき算出し、該ずれ量に応じて撮像画像データに対する色収差補正を行う」ものといえ、関数である式（３）のＸは、「画面中心Ｏからの位置を表」すものであるから、「前記色収差補正手段は、画像面内で前記撮像光学系の光軸に対応する位置である光学中心からの距離をパラメータとする、関数を用いて倍率色収差の色収差補正を行う」ものといえる。
　しかしながら、刊行物１発明は、「前記撮像画像データの画像面のうち、該画像面内で前記撮像光学系の光軸に対応する位置である光学中心を含む第１領域における注目画素については、該光学中心からの距離をパラメータとする第１線型関数を用いて倍率色収差の色収差補正を行うとともに、該光学中心が含まれない、前記第１の領域とは異なる第２領域における注目画素については、該光学中心からの距離をパラメータとする、前記第１線型関数とは異なる第２線型関数を用いて倍率色収差の色収差補正を行う」ものではなく、補正発明と相違する。
　　
イ　一致点、相違点
　補正発明と刊行物１発明の一致点、相違点は次のとおりである。
　　
（一致点）
　撮像光学系による光像を光電変換する撮像手段と、前記撮影光学系の色収差によるずれ量を関数に基づき算出し、該ずれ量に応じて撮像画像データに対する色収差補正を行う色収差補正手段と、を備えた画像処理装置であって、
　前記色収差補正手段は、画像面内で前記撮像光学系の光軸に対応する位置である光学中心からの距離をパラメータとする、関数を用いて倍率色収差の色収差補正を行うことを特徴とする画像処理装置。
　　
（相違点）
　「色収差補正手段」における「前記撮影光学系の色収差によるずれ量を関数に基づき算出」する「関数」が補正発明においては、「線型」関数であるのに対し、引用発明１においては「３次」関数であり、
　補正発明における「色収差補正手段」が、「前記撮像画像データの画像面のうち、該画像面内で前記撮像光学系の光軸に対応する位置である光学中心を含む第１領域における注目画素については、該光学中心からの距離をパラメータとする第１線型関数を用いて倍率色収差の色収差補正を行うとともに、該光学中心が含まれない、前記第１の領域とは異なる第２領域における注目画素については、該光学中心からの距離をパラメータとする、前記第１線型関数とは異なる第２線型関数を用いて倍率色収差の色収差補正を行う」のに対し、引用発明においては、そうではない点。
　　
（６）相違点の判断等 
ア　相違点について
　刊行物１発明は、色収差（倍率色収差）によるずれ量を３次関数に基づき算出するものであり、刊行物２発明は、倍率色収差に起因する位置ずれを、１次式、３次式または位置ずれ量の分布を複数の区間に分けて、それぞれの区間の分布を一次式で近似する（上記（４）イ（イ））ものであり、刊行物１発明及び刊行物２発明は倍率色収差によるずれ量を算出するものであるから、刊行物１発明において倍率色収差によるずれ量を３次関数に基づいて算出するのに代えて、刊行物２発明における、位置ずれ量の分布を複数の区間に分けて、それぞれの区間の分布を１次関数で近似するようにすることは、当業者が容易に着想することである。
　そして、刊行物２の図９においては、縮小レンズの光軸の中心は，横軸の真ん中にあると考えることが自然であり、刊行物２の図１３（ｃ）においても、横軸と直線が交わる点が光学中心であると考えられるから、刊行物１発明に刊行物２発明を適用して、光学中心を含む領域における注目画素については、光学中心からの距離をパラメータとする線型関数を用いて倍率色収差の色収差補正をするようにし、光学中心を含む領域ではない領域における注目画素については、光学中心からの距離をパラメータとする、光学中心を含む領域における線型関数とは異なる線型関数を用いて倍率色収差の色収差補正をするようにすることは、当業者が容易に想到することである。
　光学中心を含む領域は第１領域といえ、光学中心を含む領域ではない領域は第２領域といえ、光学中心を含む領域における線型関数は第１線型関数といえ、光学中心を含む領域における線型関数とは異なる線型関数は第２線型関数といえる。
　したがって、刊行物１発明に刊行物２発明を適用して、刊行物１発明において、３次関数を線型関数とし、「前記撮像画像データの画像面のうち、該画像面内で前記撮像光学系の光軸に対応する位置である光学中心を含む第１領域における注目画素については、該光学中心からの距離をパラメータとする第１線型関数を用いて倍率色収差の色収差補正を行うとともに、該光学中心が含まれない、前記第１の領域とは異なる第２領域における注目画素については、該光学中心からの距離をパラメータとする、前記第１線型関数とは異なる第２線型関数を用いて倍率色収差の色収差補正を行う」ようにすることは、当業者が容易に想到することである。
　　
イ　効果等 
　以上のように、相違点に係る構成は当業者が容易に想到できたものである。そして、補正発明の構成は、上記のとおり当業者が容易に想到することができたものであるところ、補正発明が奏する効果は、その容易想到である構成から当業者が容易に予測し得る範囲内のものであり、同範囲を超える顕著なものでもない。
　　
　したがって、補正発明は、刊行物１、刊行物２に記載された発明に基づいて当業者が容易に発明することができたものであるから、特許法２９条２項の規定により特許出願の際独立して特許を受けることができない。 
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２５年６月２７日付けの手続補正は、上記のとおり却下されたので、本願の請求項１〜１０に係る発明は、平成２５年１月８日付け手続補正により補正された明細書、特許請求の範囲及び図面の記載からみて、その特許請求の範囲の請求項１〜１０に記載した事項により特定されるとおりのものであるところ、請求項１に係る発明（以下「本願発明」という。）は次のとおりである。
　　
「撮像光学系による光像を光電変換する撮像手段と、前記撮影光学系の色収差によるずれ量を線型関数に基づき算出し、該ずれ量に応じて撮像画像データに対する色収差補正を行う色収差補正手段と、を備えた画像処理装置であって、
　前記色収差補正手段は、前記撮像画像データの画像面のうち、該画像面内で前記撮像光学系の光軸に対応する位置である光学中心を含む第１領域における注目画素については、該光学中心からの距離をパラメータとする第１線型関数を用いて色収差補正するとともに、該光学中心が含まれない、前記第１の領域とは異なる第２領域における注目画素については、該光学中心からの距離をパラメータとする、前記第１線型関数とは異なる第２線型関数を用いて色収差補正を行うことを特徴とする画像処理装置。」
　　
２　刊行物
　原査定の拒絶の理由に引用された刊行物１、２の記載事項は、上記第２の２（４）に記載したとおりである。 
 　 
３　対比・判断
（１）対比
　本願発明は、補正発明における「倍率色収差の色収差補正を行う」を「色収差補正を行う（する）」としたものである。
　そうすると、本願発明と刊行物１発明との一致点は、上記第２の２（５）イの一致点の「倍率色収差の色収差補正」を「色収差補正」としたものであり、相違点は上記第２の２（５）イの相違点を同じである。
　　
（２）判断等
　相違点は、上記第２の２（５）イの相違点と同じであるので、上記第２の２（６）アの判断を援用する。
　したがって、本願発明は、刊行物１、刊行物２に記載された発明により当業者が容易に発明できたものである。
　
４　むすび
　以上のとおり、本願の請求項１に係る発明は、刊行物１、刊行物２に記載された発明に基づいて、当業者が容易に発明することができたものであるから、特許法第２９条第２項の規定により特許を受けることができない。
　したがって、請求項２〜１０に係る発明について検討するまでもなく、本願は拒絶されるべきものである。
　　
　よって、結論のとおり審決する。